(57)【要約】【課題】鏡筒部材から保持枠を取り外す際に鏡筒部材の取付部と保持枠との間に配置されていた調整部材が落下するのを防ぐことができるレンズ鏡筒、前記レンズ鏡筒に用いられる鏡筒部材、前記レンズ鏡筒に用いられる保持枠、及び前記レンズ鏡筒における光学素子の光軸調整方法を提供することを課題とする。【解決手段】本発明は、１又は複数の光学素子１２を保持する保持枠１１と、保持枠１１が取り付けられる取付部１７を有する鏡筒部材１５と、鏡筒部材１５の光軸方向Ｃにおいて保持枠１１と取付部１７との間に配置され、光学素子１２の光軸の向き及び光軸方向の位置の少なくとも一方を調整可能な調整部材２２と、を備え、保持枠１１、鏡筒部材１５、及び調整部材２０の少なくとも一つは、物体側又は像側に向かって調整部材２０の一部を露出させる形状を有していることを特徴とする。【選択図】図３
2014048434.tif 000002
【特許請求の範囲】
【請求項１】
１又は複数の光学素子を保持する保持枠と、
前記保持枠が取り付けられる取付部を有する鏡筒部材と、
前記鏡筒部材の光軸方向において前記保持枠と前記取付部との間に配置され、前記光学素子の光軸の向き及び光軸方向の位置の少なくとも一方を調整可能な調整部材と、を備え、
前記保持枠、前記鏡筒部材、及び前記調整部材の少なくとも一つは、物体側又は像側に向かって前記調整部材の一部を露出させる形状を有しているレンズ鏡筒。
【請求項２】
前記調整部材は、前記鏡筒部材の径方向の外側に向かって前記保持枠の周縁よりも外側まで延びる延設部を有する請求項１に記載のレンズ鏡筒。
【請求項３】
前記鏡筒部材は、前記取付部に取り付けられた状態の前記保持枠を前記径方向の外側から囲む筒状の位置決め部を有し、
前記位置決め部は、その周方向における前記調整部材と対応する位置において、前記調整部材の一部が見える方向における当該位置決め部の手前側の端部からその反対側へ向かう切欠きを有し、
前記延設部は、前記切欠きを通るように前記径方向の外側に向かって延びている請求項２に記載のレンズ鏡筒。
【請求項４】
前記保持枠は、その周縁部の前記調整部材と対応する位置に、物体側又は象側に向かって前記調整部材の一部を露出させる形状の切欠きを有する請求項１に記載のレンズ鏡筒。
【請求項５】
１又は複数の光学素子を保持した保持枠が取り付けられる鏡筒部材であって、
前記保持枠が取り付けられる取付部と、
前記光学素子の光軸の向き及び光軸方向の位置の少なくとも一方を調整可能な調整部材が当該鏡筒部材の光軸方向における前記保持枠と前記取付部との間に配置された状態で、物体側又は像側に向かって前記調整部材の一部を露出させる形状を有し、且つ当該鏡筒部材の周方向における前記調整部と対応する位置に設けられる露出部と、を有する鏡筒部材。
【請求項６】
１又は複数の光学素子を保持し且つ鏡筒部材に取り付けられる保持枠であって、
前記光学素子の光軸の向き及び光軸方向の位置の少なくとも一方を調整可能な調整部材が前記鏡筒部材の光軸方向において当該保持枠と前記鏡筒部材の取付部との間に配置された状態で当該保持枠が当該鏡筒部材の取付部に取り付けられたときに、物体側又は象側に向かって前記調整部材の一部を露出させる形状を有する光学系保持枠。
【請求項７】
１又は複数の光学素子を保持する保持枠が前記光学素子の光軸の向き及び光軸方向の位置の少なくとも一方を調整正可能な調整部材を介して取り付けられる鏡筒部材を備えるレンズ鏡筒における光学系の収差補正方法において、
前記保持枠、前記鏡筒部材および前記調整部材のうちの少なくとも１つは、物体側または像側に向かって前記調整部材の一部を露出させる形状を有しており、
前記保持枠が前記調整部材を介して前記鏡筒部材の取付部に取り付けられた状態で前記レンズ鏡筒における収差を計測する計測工程と、
前記調整部材の一部を押さえつつ前記保持枠を前記鏡筒部材から取り外す取外工程と、
前記計測工程で計測された収差を補正するために前記調整部材の個数および厚さのうちの少なくとも一方を変更した後に、変更後の前記調整部材を介して前記保持枠を前記鏡筒部材の取付部に取り付ける取付工程と、を備えることを特徴とする光学系の収差補正方法。
【発明の詳細な説明】
【技術分野】
【０００１】
本発明は、レンズ鏡筒と、このレンズ鏡筒におけるレンズ等の光学系の収差補正方法とに関する。
【背景技術】
【０００２】
従来から、特許文献１に記載のレンズ鏡筒が知られている。このレンズ鏡筒は、図９に示されるように、レンズ等の光学素子１０１を保持する保持枠１０３と、この保持枠１０３が取り付けられる鏡筒部材１０４と、保持枠１０３を鏡筒部材１０４に固定するための複数のネジ部材１０５と、光学素子１０１の光軸１０２の向きを調整するための板状の調整部材（調整用ワッシャ）１０６と、を備える。
【０００３】
鏡筒部材１０４は、筒状の本体部１０７と、本体部１０７の内周面からその中心軸Ｘに向かって延びると共にその周方向に延びる取付部１０８を有する。この取付部１０８は、保持枠１０３が中心軸Ｘ方向の前方側から取り付けられることによって当該保持枠１０３を中心軸Ｘ方向の後方側（図９における右側）から支持（固定）する。このとき、保持枠１０３と取付部１０８とは、複数のネジ部材１０５、１０５、…によって連結される。これら複数のネジ部材１０５、１０５、…は、鏡筒部材１０４の周方向に沿って複数個所で保持枠１０３と取付部１０８とを連結する。調整部材１０６は、保持枠１０３と取付部１０８との間に配置（狭持）されることにより、レンズ鏡筒１００の収差を補正する（例えば、光学素子１０１の光軸１０２の向きや中心軸Ｘ方向の位置を調整する）。詳しくは、調整部材１０６は、前記周方向におけるネジ部材１０５の設けられた各位置において、保持枠１０３と取付部１０８との間に１枚又は複数枚Ｘ軸方向に積層された状態でそれぞれ配置されることにより、Ｘ軸方向に一致するように光学素子１０１の光軸１０２の向きを調整する、及び／又はＸ軸方向における光学素子１０１の位置を調整する。
【先行技術文献】
【特許文献】
【０００４】
【特許文献１】実開平６−２３０１３号公報
【発明の概要】
【発明が解決しようとする課題】
【０００５】
上記のレンズ鏡筒１００の組み立て時等における光学素子１０１の光軸１０２の調整作業では、調整部材１０６が鏡筒部材１０４内に落下して鏡筒部材１０４の内部や当該鏡筒部材１０４に取り付けられた（組み込まれた）レンズ等を傷付けたり、当該調整部材１０６を紛失したりする場合があった。
【０００６】
具体的には、光学素子１０１の光軸１０２の調整やＸ軸方向の位置を調整するために、調整部材１０６の個数や厚さの異なる調整部材１０６への交換等を行うべく鏡筒部材１０４から保持枠１０３が取り外されたときに、それまで鏡筒部材１０４の取付部１０８と光学系保持枠１０３との間に配置（狭持）されていた調整部材１０６が鏡筒部材１０４の内部等に落下して鏡筒部材１０４に組み込まれたレンズ等を傷付けたり、当該調整部材１０６を紛失したりする場合があった。
【０００７】
そこで、本発明は、上記問題に鑑み、鏡筒部材から保持枠を取り外す際に、鏡筒部材と保持枠との間に配置されていた調整部材が落下するのを防ぐことができるレンズ鏡筒、前記レンズ鏡筒に用いられる鏡筒部材、前記レンズ鏡筒に用いられる保持枠、及び、前記レンズ鏡筒における光学系の収差補正方法を提供することを目的とする。
【課題を解決するための手段】
【０００８】
本発明者は、種々検討した結果、上記目的は、以下の本発明により達成されることを見出した。すなわち、本発明の一態様に係るレンズ鏡筒は、１又は複数の光学素子を保持する保持枠と、前記保持枠が取り付けられる取付部を有する鏡筒部材と、前記鏡筒部材の光軸方向において前記保持枠と前記取付部との間に配置され、前記光学素子の光軸の向き及び光軸方向の位置の少なくとも一方を調整可能な調整部材と、を備える。そして、前記保持枠、前記鏡筒部材、及び前記調整部材の少なくとも一つは、物体側又は像側に向かって前記調整部材の一部を露出させる形状を有している。
【０００９】
かかる構成によれば、物体側又は像側に向かって露出する調整部材の部位を取付部側に向けて押さえつつ保持枠を鏡筒部材の光軸に沿って取り外すことにより、保持枠と共に調整部材が移動することが規制されて保持枠を取り外したときに調整部材が取付部に留まる。このため、保持枠を取り外すときに調整部材が保持枠にくっついて鏡筒部材から一緒に取り外され落下等することが防がれる。即ち、鏡筒部材から保持枠を取り外す際に調整部材が落下するのを防ぐことができる。
【００１０】
上述の調整部材の一部が見える形状としては、例えば、前記調整部材は、前記鏡筒部材の径方向の外側に向かって前記保持枠の周縁よりも外側まで延びる延設部を有してもよい。
【００１１】
かかる構成では、延設部を取付部側に向けて押さえつつ保持枠を鏡筒部材の光軸に沿って取り外すことによって、鏡筒部材から保持枠を取り外す際に調整部材が落下するのを防ぐことができる。
【００１２】
この場合、前記鏡筒部材は、前記取付部に取り付けられた状態の前記保持枠を前記径方向の外側から囲む筒状の位置決め部を有し、前記位置決め部は、その周方向における前記調整部材と対応する位置において、前記調整部材の一部が見える方向における当該位置決め部の手前側の端部からその反対側へ向かう切欠きを有し、前記延設部は、前記切欠きを通るように前記径方向の外側に向かって延びていることが好ましい。
【００１３】
かかる構成によれば、位置決め部に切欠きを設けることによって保持枠の周縁よりも径方向外側まで延びる延設部の配置スペースを確保しつつ、位置決め部が保持枠の周囲を囲んでいるため前記光軸と直交する方向（鏡筒部材の径方向）への当該保持枠の移動が規制されて前記径方向における保持枠の位置決めが容易になる。しかも、位置決め部の切欠きが調整部材の一部が見える方向における当該位置決め部の手前側の端部からその反対側へ向って切り欠かれているため、この切欠き位置においても、物体側又は像側に向かって露出する調整部材の部位を取付部側に向けて押さえることができる。
【００１４】
また、上述の調整部材の一部を物体側又は像側に向かって露出させる形状としては、例えば、前記保持枠は、その周縁部の前記調整部材と対応する位置に、物体側又は象側に向かって前記調整部材の一部を露出させる形状の切欠きを有してもよい。
【００１５】
かかる構成では、保持枠の切欠きから露出する調整部材の一部を取付部側に向けて押さえつつ保持枠を鏡筒部材の光軸に沿って取り外すことによって、鏡筒部材から保持枠を取り外す際に調整部材が落下するのを防ぐことができる。
【００１６】
また、本発明の他の一態様に係る鏡筒部材は、１又は複数の光学素子を保持した保持枠が取り付けられる鏡筒部材であって、前記保持枠が取り付けられる取付部と、前記光学素子の光軸の向き及び光軸方向の位置の少なくとも一方を調整可能な調整部材が当該鏡筒部材の光軸方向における前記保持枠と前記取付部との間に配置された状態で、物体側又は像側に向かって前記調整部材の一部を露出させる形状を有し、且つ当該鏡筒部材の周方向における前記調整部と対応する位置に設けられる露出部と、を有する。
【００１７】
かかる構成の鏡筒部材を用いてレンズ鏡筒を構成すれば、物体側又は像側に向かって露出する調整部材の部位を取付部側に押さえつつ保持枠を鏡筒部材の光軸に沿って取り外すことにより、保持枠と共に調整部材が移動することが規制されて保持枠を取り外したときに調整部材が取付部に留まる。これにより、鏡筒部材から保持枠を取り外す際の調整部材の落下を防ぐことができる。
【００１８】
また、本発明の他の態様に係る保持枠は、１又は複数の光学素子を保持し且つ鏡筒部材に取り付けられる保持枠であって、前記光学素子の光軸の向き及び光軸方向の位置の少なくとも一方を調整可能な調整部材が前記鏡筒部材の光軸方向において当該保持枠と前記鏡筒部材の取付部との間に配置された状態で当該保持枠が当該鏡筒部材の取付部に取り付けられたときに、物体側又は象側に向かって前記調整部材の一部を露出させる形状を有する。
【００１９】
かかる構成の保持枠を用いてレンズ鏡筒を構成すれば、物体側又は像側に向かって露出する調整部材の部位を取付部側に押さえつつ当該保持枠を鏡筒部材の光軸に沿って取り外すことにより、保持枠と共に調整部材が移動することが規制されて保持枠を取り外したときに調整部材が取付部に留まる。これにより、鏡筒部材から保持枠を取り外す際に調整部材が落下するのを防ぐことができる。
【００２０】
また、本発明の他の一態様に係る光軸調整方法は、１又は複数の光学素子を保持する保持枠が前記光学素子の光軸の向き及び光軸方向の位置の少なくとも一方を調整正可能な調整部材を介して取り付けられる鏡筒部材を備えるレンズ鏡筒における光学系の収差補正方法において、前記保持枠、前記鏡筒部材および前記調整部材のうちの少なくとも１つは、物体側または像側に向かって前記調整部材の一部を露出させる形状を有しており、前記保持枠が前記調整部材を介して前記鏡筒部材の取付部に取り付けられた状態で前記レンズ鏡筒における収差を計測する計測工程と、前記調整部材の一部を押さえつつ前記保持枠を前記鏡筒部材から取り外す取外工程と、前記計測工程で計測された収差を補正するために前記調整部材の個数および厚さのうちの少なくとも一方を変更した後に、変更後の前記調整部材を介して前記保持枠を前記鏡筒部材の取付部に取り付ける取付工程と、を備える。
【００２１】
かかる構成によれば、レンズ鏡筒における収差の補正（例えば、保持枠に保持された光学素子の光軸調整や前記光学素子の光軸方向の位置を調整）するときに、鏡筒部材から保持枠を取り外す工程において、物体側又は像側に向かって露出する調整部材の部位を取付部側に押さえつつ保持枠を鏡筒部材の光軸に沿って取り外すことにより、保持枠と共に調整部材が移動することが規制されて保持枠を取り外したときに調整部材が取付部に留まるため、保持枠を取り外す際に調整部材が落下するのを防ぐことができる。
【発明の効果】
【００２２】
以上より、本発明によれば、鏡筒部材から保持枠を取り外す際に、鏡筒部材の取付部と保持枠との間に配置されていた調整部材が落下するのを防ぐことができるレンズ鏡筒、前記レンズ鏡筒に用いられる鏡筒部材、前記レンズ鏡筒に用いられる保持枠、及び、前記レンズ鏡筒における光学系の収差補正方法を提供することができる。
【図面の簡単な説明】
【００２３】
【図１】本実施形態に係るレンズ鏡筒の断面図である。
【図２】前記レンズ鏡筒の一部の分解斜視図である。
【図３】前記レンズ保持枠が鏡筒部材に取り付けられた状態の正面図である。
【図４】第１のワッシャ（調整用ワッシャ）の拡大正面図である。
【図５】レンズ保持枠を取り外すときに調整用ワッシャを押える治具の斜視図である。
【図６】前記治具の使用方法を説明するための図である。
【図７】前記第１のワッシャの延設部を前記治具によって後方側に押えた状態を説明するための部分拡大断面図である。
【図８】他実施形態に係るレンズ保持枠が鏡筒部材に取り付けられた状態の正面図である。
【図９】従来のレンズ鏡筒の部分拡大断面図である。
【発明を実施するための形態】
【００２４】
以下、本発明にかかる実施の一形態を図面に基づいて説明する。なお、各図において同一の符号を付した構成は、同一の構成であることを示し、適宜、その説明を省略する。
【００２５】
図１は、本実施形態に係るレンズ鏡筒の断面図であり、図２は、レンズ鏡筒の一部の分解斜視図である。図３は、レンズを保持したレンズ保持枠が鏡筒部材に取り付けられた状態の正面図である。
【００２６】
本実施形態のレンズ鏡筒１０は、カメラボディ１に取り外し可能に接続されて用いられる。このレンズ鏡筒１０は、レンズ保持枠（保持枠）１１と、鏡筒部材１５と、複数の調整用ワッシャ（調整部材）２０と、レンズ保持枠１１を鏡筒部材１５に固定（連結）するための複数のネジ部材３０と、を備える。
【００２７】
レンズ保持枠１１は、１又は複数のレンズ（光学素子）１２を保持する。このレンズ保持枠１１は、レンズ１２の周縁部を囲うように当該レンズ１２を保持する。レンズ保持枠１１は、レンズ１２を周方向に囲って当該レンズ１２の周縁部を保持する枠部１３と、枠部１３から径方向外側且つ周方向に延びる（広がる）鍔部１４を有する。
【００２８】
鍔部１４は、当該鍔部１４を中心軸Ｃ（レンズ鏡筒の光軸）方向に貫通する複数（本実施形態の例では３つ）の貫通孔１４ａ、１４ａ、…を有する。各貫通孔１４ａは、ネジ部材３０の軸部の通過を許容するがネジ部材３０の頭部が通過できない内径を有する。これら複数の貫通孔１４ａ、１４ａ、…は、鍔部１４において周方向に間隔を空けて設けられている。尚、本実施形態の鍔部１４は、周方向に断続的に配置されているが、周方向に連続的に配置されてもよい。
【００２９】
鏡筒部材１５は、その内部にレンズやズーム機構等が組み込まれる略筒状の部材であり、物体側端部にレンズ保持枠１１が取り付けられる。この鏡筒部材１５は、鏡筒本体１６と、複数（本実施形態では３つ）の取付部１７、１７、…と、保持枠位置決め部（位置決め部）１８と、を備える。
【００３０】
鏡筒本体１６は、レンズ鏡筒１０の光軸を囲む略円筒状の部位であり、その内部にレンズやズーム機構等が配置される。
【００３１】
取付部１７は、レンズ保持枠１１が中心軸Ｃ方向の物体側から取り付けられる部位であり、鏡筒本体１６の物体側端部に設けられている。各取付部１７は、鏡筒本体１６の物体側端部において、レンズ保持枠１１の鍔部１４に設けられた各貫通孔１４ａと対応する位置にそれぞれ設けられている。この取付部１７は、当該取付部１７の物体側端部において鏡筒部材１５（鏡筒本体１６）の中心軸Ｃと直交し且つ前方を向いた面（ワッシャ配置面）１７０と、このワッシャ配置面１７０の周縁部に沿って延び且つワッシャ配置面１７０から光軸方向物体側に突出する突条のワッシャ位置決め部１７１と、を有する。ワッシャ配置面１７０の中央には、当該ワッシャ配置面１７０から光軸方向像側に延びるネジ孔１７２が形成されている。
【００３２】
ワッシャ配置面１７０は、レンズ保持枠１１の鍔部１４の裏面（光軸方向像側の面）と対向する面であり、鏡筒部材１５にレンズ保持枠１１が取り付けられたときに鍔部１４の裏面と共に調整用ワッシャ２０を狭持する。
【００３３】
ワッシャ位置決め部１７１は、ワッシャ配置面１７０の周縁（本実施形態では円形の周縁）に沿って延び、周方向に間隔を空けて複数（本実施形態の例では２つ）の切欠きが設けられている。このワッシャ位置決め部１７１は、当該ワッシャ位置決め部１７１に囲まれた領域に配置された調整用ワッシャ２０のワッシャ配置面１７０に沿った方向（中心軸Ｃと直交する方向）への移動を規制して調整用ワッシャ２０の位置決めを行なう。
【００３４】
このように構成される取付部１７は、レンズ保持枠１１が取り付けられることによって当該レンズ保持枠１１を光軸方向像側から支持する。具体的には、物体側から見てレンズ保持枠１１の鍔部１４の各貫通孔１４ａと鏡筒部材１５の対応する取付部１７のネジ孔１７２とがそれぞれ重なった状態で鍔部１４の裏面と取付部１７のワッシャ配置面１７０とが対向するようにレンズ保持枠１１が鏡筒部材１５に配置され、ネジ部材３０の軸部が鍔部１４の貫通孔１４ａを通じて取付部１７のネジ孔１７２にねじ込まれることによって、レンズ保持枠１１が鏡筒部材１５に固定される（取り付けられる）。
【００３５】
保持枠位置決め部１８は、取付部１７に取り付けられた状態のレンズ保持枠１１を径方向の外側から囲む筒状の部位である。この保持枠位置決め部１８は、その周方向における取付部１７と対応する位置に、当該保持枠位置決め部１８の物体側端部から像側へ向かう切り欠き（露出部）１９をそれぞれ有する。各切欠き１９は、ワッシャ配置面１７０よりも像側まで延びている。本実施形態の切欠き１９は、物体側端部の幅が最も広く、像側に向かって幅が徐々に狭くなる形状を有する。最も狭い切欠き像側端部の幅は、調整用ワッシャ２０の延設部２５の幅と同じ若しくは僅かに広い。
【００３６】
この保持枠位置決め部１８によれば、切欠き１９が設けられることによってレンズ保持枠１１の周縁よりも径方向外側まで延びる延設部２５の配置スペースが確保され、且つレンズ保持枠１１の周囲が囲まれることによって中心軸Ｃと直交する方向（鏡筒部材１５の径方向）へのレンズ保持枠１１の移動が規制されるため前記径方向におけるレンズ保持枠１１の位置決めが容易になる。
【００３７】
調整用ワッシャ２０は、中心軸Ｃ方向においてレンズ保持枠１１の鍔部１４（詳しくは鍔部１４の裏面）と鏡筒部材１５の取付部１７（詳しくはワッシャ配置面１７０）との間に配置（狭持）され、レンズ保持枠１１に保持されているレンズ１２の光軸の向き及びレンズ１２の中心軸（光軸）Ｃ方向の位置を調整する。この調整用ワッシャ２０は、ネジ部材３０の軸部の通過を許容するが頭部が通過できない内径を有する貫通孔２１が形成された板状の部材であり、その厚み方向（中心軸Ｃ方向）に積層されることで当該調整用ワッシャ２０が配置された位置（本実施形態では、周方向に間隔を空けて３箇所）における鍔部１４（鍔部１４の裏面）と取付部１７（ワッシャ配置面１７０）との間隔を調整する。これにより、レンズ保持枠１１に保持されたレンズ１２における光軸の鏡筒部材１５の中心軸Ｃに対する方向（傾き）の調整や、レンズ鏡筒１０におけるレンズ１２の中心軸Ｃ方向の位置を調整することができる。
【００３８】
尚、本実施形態では、各取付部１７のワッシャ配置面１７０において調整用ワッシャ２０をその厚さ方向にそれぞれ積層することによってレンズ鏡筒１０における光学系の収差を補正（本実施形態では、レンズ１２の光軸の向きやレンズ鏡筒１０におけるレンズ１２の中心軸Ｃ方向の位置を調整）しているが、これに限定されず、各取付部１７のワッシャ配置面１７０に厚さの異なる調整用ワッシャ２０をそれぞれ配置することによってレンズ１２の光軸の向きを調整してもよい。また、調整用ワッシャの枚数と厚さとを組み合わせてレンズ鏡筒１０における光学系の収差を補正してもよい。
【００３９】
本実施形態では、調整用ワッシャ２０として２種類のワッシャ（第１のワッシャ２２と第２のワッシャ２３）が用いられている。
【００４０】
第１のワッシャ２２は、鍔部１４と取付部１７との間に調整用ワッシャ２０が１枚だけ配置される場合に用いられる。また、第１のワッシャ２２は、鍔部１４と取付部１７との間に複数の調整用ワッシャ２０、２０、…が積層される場合には、最も前方側（鍔部１４側）に配置されるワッシャとして用いられる。
【００４１】
この第１のワッシャ２２は、図４にも示されるように、貫通孔２１が形成された本体部２４と、本体部２４から鏡筒部材１５の径方向外側に向かって延びる延設部２５と、を有する。
【００４２】
本体部２４は、貫通孔２１の径方向に突出する２つの突出部２４ａ、２４ａを有する。これら２つの突出部２４ａ、２４ａは、第１のワッシャ２２が取付部１７に配置されたときに、ワッシャ位置決め部１７１に設けられた２つの切欠き内に嵌るようにこれら２つの切欠きと対応する位置に設けられている。
【００４３】
貫通孔は、本体部において、２つの突出部２４ａ、２４ａがワッシャ位置決め部１７１の切欠き内にそれぞれ嵌るようにワッシャ位置決め部１７１に囲まれた領域に第１のワッシャ２２が配置されたときに、光軸方向物体側から見てワッシャ配置面１７０のネジ孔１７２と重なる位置に形成されている。
【００４４】
延設部２５は、鏡筒部材１５の径方向外側に向かって（本実施形態では、保持枠位置決め部１８の切欠き１９を通るように）延びている。この延設部２５は、鏡筒部材１５の径方向の外側に向かってレンズ保持枠１１（鍔部１４）の周縁よりも外側まで延びている。これにより、中心軸（光軸）Ｃ方向において物体側から見たときに、延設部２５（第１のワッシャ２２の一部）が露出する状態（見える状態）となる。本実施形態では、保持枠位置決め部１８の切欠き１９内に嵌った延設部２５が見えた状態となる（図３参照）。
【００４５】
第２のワッシャ２３は、鍔部１４と取付部１７との間において複数枚の調整用ワッシャ２０、２０、…が中心軸Ｃ方向に積層配置される場合に、最も物体側（鍔部１４側）の位置を除く位置に配置される。即ち、第２のワッシャ２３は、第１のワッシャ２２の像側（ワッシャ配置面１７０側）に配置される。この第２のワッシャ２３は、一般的な形状（正面視ドーナツ形状）のワッシャである。
【００４６】
このように、鍔部１４と取付部１７との間において複数枚の調整用ワッシャ２０、２０、…が中心軸Ｃ方向に積層される場合に、最も物体側（鍔部１４側）のワッシャのみを第１のワッシャ２２とし、それよりも像側の他のワッシャを全て一般的な形状の第２のワッシャ２３とすることにより、コスト削減を図ることができる。
【００４７】
尚、鍔部１４と取付部１７との間において複数枚の調整用ワッシャ２０、２０、…が中心軸Ｃ方向に積層配置される場合に、全てのワッシャが第１のワッシャ２２であってもよい。
【００４８】
以上のようなレンズ鏡筒１０では、組み立てられる際に以下のようにして光学系の収差の補正（本実施形態では、レンズ１２の光軸の向きの調整（光軸調整））が行われる。
【００４９】
レンズ１２を保持したレンズ保持枠１１が鏡筒部材１５に取り付けられた状態で、レンズ１２の光軸とレンズ鏡筒１０の光軸とのずれ量が計測される。このとき、各取付部１７と鍔部１４との間には、第１のワッシャ２２が１枚ずつ配置されている。
【００５０】
計測の結果、光軸の向きを調整する必要がある場合、即ち、レンズ鏡筒１０の光軸（中心軸Ｃ）に対してレンズ１２の光軸がずれている場合、全てのネジ部材３０が取り外された後、鏡筒部材１５からレンズ保持枠１１が取り外され、各取付部１７と鍔部１４との間に配置される調整用ワッシャ２０の数（中心軸Ｃ方向に積層する枚数）が適宜変更される。
【００５１】
前記ずれ量の計測の際、及び、鏡筒部材１５からレンズ保持枠１１が取り外される際には、例えば、鏡筒部材１５の前端が上を向くように（当該鏡筒部材１５の光軸（中心軸Ｃ）が垂直になるように）配置される。そして、図５に示されるような、第１のワッシャ２２（調整用ワッシャ２０）を押さえるための治具４０が用いられる。この治具４０は、環状本体部４１と、環状本体部４１からその中心方向に突出する複数の押え部４２、４２、…と、を備える。環状本体部４１は、保持枠位置決め部１８の外径よりも大きい内径を有する。複数（本実施形態の例では３つ）の押え部４２、４２、…は、環状本体部４１の周方向において、保持枠位置決め部１８の各切欠き１９に対応する位置にそれぞれ設けられている。各押え部４２は、切欠き１９内に入ることが可能な幅寸法（光軸方向物体側から見て環状本体部４１の径方向と直交する方向の寸法）、即ち、切欠き１９の最も狭い部位よりも小さな幅寸法を有する。また、各押え部４２は、鏡筒部材１５に取り付けられたレンズ保持枠１１が環状本体部４１と同心となるように環状本体部４１の内側領域に位置したときに（図３参照）、当該押え部４２の先端が鍔部１４に接触せず且つ第１のワッシャ２２の延設部２５と中心軸Ｃ方向において重なる長さ寸法（径方向の寸法）を有する。
【００５２】
このような治具４０が、図６に示されるように、各押え部４２が保持枠位置決め部１８の対応する切欠き１９内に入るよう物体側から像側に向かって保持枠位置決め部１８の外側に嵌め込まれる。これにより、図７にも示されるように、第１のワッシャ２２の延設部２５が押え部４２によって像側（取付部１７側）へ押されて第１のワッシャ２２の物体側への移動が規制される。このため、レンズ保持枠１１を物体側に取り外したときに第１のワッシャ２２がこのレンズ保持枠１１にくっついて移動し、取付部１７等から落下等することが防がれる。
【００５３】
レンズ保持枠１１が取り外されると、前記のレンズ１２の光軸の計測結果に基づいて、各取付部１７のワッシャ配置面１７０上の調整用ワッシャ２０の積層枚数がそれぞれ変更される。このとき、調整用ワッシャ２０が複数積層される場合には、第１のワッシャ２２が最も物体側（図７において最も上方側）に配置され、その像側に１又は複数枚の第２のワッシャ２３が配置される。
【００５４】
続いて、レンズ保持枠１１が鏡筒部材１５の保持枠位置決め部１８内に配置され、ネジ部材３０によって鍔部１４が各取付部１７に連結される。これにより、鏡筒部材１５にレンズ保持枠１１が取り付けられる（固定される）。
【００５５】
そして、再度、レンズ鏡筒１０の光軸に対するレンズ１２の光軸のずれ量が計測され、レンズ１２の光軸がレンズ鏡筒１０（即ち、鏡筒部材１５の中心軸Ｃ）と一致するまで、上記のレンズ保持枠１１の取り外し、調整用ワッシャ２０の積層枚数の変更、レンズ保持枠１１の鏡筒部材１５への取り付け、レンズの光軸のずれ量の計測、の各工程が順に繰り返される。
【００５６】
以上のレンズ鏡筒１０によれば、中心軸Ｃ方向の物体側から見える第１のワッシャ２２（調整用ワッシャ２０）の部位２５を取付部１７側に向けて押さえつつレンズ保持枠１１を光軸に沿って（中心軸Ｃ方向物体側へ）取り外すことにより、レンズ保持枠１１と共に第１のワッシャ２２が移動することが規制されてレンズ保持枠１１を取り外したときに第１のワッシャ２２が取付部１７ワッシャ配置面１７０上）に留まる。第１のワッシャ２２の前方側への移動が規制されているため、レンズ保持枠１１を取り外しても第１のワッシャ２２が取付部１７（ワッシャ配置面１７０上）に留まる。このため、レンズ保持枠１１を取り外したときに第１のワッシャ２２がレンズ保持枠１１にくっついて鏡筒部材１５から一緒に取り外され落下等することが防がれる。即ち、鏡筒部材１５からレンズ保持枠１１を取り外す際に第１のワッシャ２２が落下するのを防ぐことができる。
【００５７】
尚、本発明のレンズ鏡筒、鏡筒部材、レンズ保持枠、及びレンズ鏡筒におけるレンズの光軸の調整方法は、上記実施形態に限定されるものではなく、本発明の要旨を逸脱しない範囲内において種々変更を加え得ることは勿論である。
【００５８】
上記実施形態では、鏡筒部材１５（詳しくは保持枠位置決め部１８）と、第１のワッシャ２２（調整用ワッシャ２０）とが、中心軸Ｃ方向の物体側から見たときに第１のワッシャ２２（調整用ワッシャ２０）の一部２５が見える形状を有しているが、この構成に限定されない。即ち、レンズ保持枠１１、鏡筒部材１５、調整用ワッシャ２０の少なくとも１つの部材が、中心軸Ｃ方向の物体側から見たときに調整用ワッシャ２０の一部が見える形状の部位（露出部）を有していればよい。
【００５９】
具体的には、例えば、レンズ保持枠１１のみが、調整用ワッシャ２０の配置位置と対応する位置に、中心軸Ｃ方向の物体側から見たときに調整用ワッシャ２０の一部が見える形状の部位（露出部）を有していてもよい。この露出部は、例えば、鍔部１４における調整用ワッシャ２０と対応する位置に設けられる切欠きであってもよく、図８に示されるような前記対応する位置に設けられる貫通孔（中心軸Ｃ方向の貫通孔）１４ｂ等であってもよい。露出部が貫通孔１４ｂの場合、例えば、貫通孔１４ｂよりも直径の小さな棒状の治具を用いれば、貫通孔１４ｂから見える調整用ワッシャ２０の部位を取付部側に押さえつつレンズ保持枠１１を取り外すことができる。即ち、棒状の治具を貫通孔１４ｂに挿入して貫通孔１４ｂから見える調整用ワッシャ２０の部位を取付部側に向けて押さえた状態で、当該棒状の治具に沿ってレンズ保持枠１１を前方側に移動させれば、レンズ保持枠１１を鏡筒部材１５から取り外すことができる。
【００６０】
また、露出部が鍔部１４に設けられた切欠きである場合、切欠きの具体的な形状は限定されない。即ち、中心軸Ｃ方向の物体側から見たときに、調整用ワッシャ２０の一部が見える形状の切欠きであればよい。
【００６１】
また、例えば、調整用ワッシャ２０のみが、中心軸Ｃ方向の物体側から見たときにその一部が見える形状の部位（露出部）を有していてもよい。例えば、上記実施形態のように、調整用ワッシャ２０に露出部として延設部２５が設けられ、鏡筒部材１５において保持枠位置決め部が設けられていない構成でもよい。
【００６２】
また、例えば、レンズ保持枠１１の形状と鏡筒部材１５の形状との組合せによって、中心軸Ｃ方向の物体側から見たときに調整用ワッシャ２０の一部が見える構成でもよく、レンズ保持枠１１の形状と調整用ワッシャ２０の形状との組合せによって、中心軸Ｃ方向の物体側から見たときに調整用ワッシャ２０の一部が見える構成でもよく、レンズ保持枠１１の形状と鏡筒部材１５の形状と調整用ワッシャ２０の形状との組合せによって、中心軸Ｃ方向の物体側から見たときに調整用ワッシャ２０の一部が見える構成であってもよい。
【００６３】
また、レンズ保持枠１１、鏡筒部材１５、調整用ワッシャ２０の少なくとも１つの部材が、中心軸Ｃ方向の像側から見たときに、調整用ワッシャ２０の一部が見える形状の部位（露出部）を有していてもよい。
【００６４】
本実施形態では、鏡筒部材１５の物体側端部において取付部１７が周方向に間隔を空けて複数設けられているが、鏡筒部材１５の物体側端部において取付部が周方向に連続する形状を有していてもよい。この場合、調整用ワッシャ２０の配置位置は、ネジ部材３０が取り付けられる位置でなくてもよい。具体的には、周方向に間隔を空けて３箇所以上にワッシャ配置位置が設定されていれば、レンズ１２の光軸の調整を行なうことができる。
【００６５】
また、鏡筒部材１５からレンズ保持枠１１を取り外されるときに用いられる治具は、上記の環状の治具４０に限定されない。各切欠き内に（各露出部から）見える延設部を個別に押さえる治具が用いられてもよい。この場合、レンズ保持枠１１の取り外し作業においては複数（露出部の数）の治具が用いられる。
【００６６】
上記実施形態では、レンズ鏡筒１０が組み立てられる際のレンズ鏡筒１０における光学系の収差の補正として、レンズ１２の光軸とレンズ鏡筒１０の光軸とを一致させる調整（光軸調整）が行われているが、これに限定されない。
【００６７】
例えば、前記収差の補正として、レンズ１２の光軸の向きの調整（敢えてレンズ１２の光軸を鏡筒部材１５の中心軸Ｃに対して傾けることによって収差を打ち消すような調整も含む）、及び／又はレンズ鏡筒１０における中心軸Ｃ方向のレンズ１２の位置の調整が行われてもよい。この場合、レンズ１２を保持したレンズ保持枠１１が鏡筒部材１５に取り付けられた状態で、この鏡筒部材１５における収差を測定し（例えば、鏡筒部材１５の中心軸Ｃに対するレンズ１２の光軸のずれ角や、鏡筒部材１５における中心軸Ｃ方向のレンズ１２のずれ量、焦点位置等を測定し）、測定された収差（前記ずれ角や、前記ずれ量、前記焦点位置等）に基づいて、各取付部１７のワッシャ配置面１７０上の調整用ワッシャ２０の積層枚数をそれぞれ変更する。このとき、鏡筒部材１５における中心軸Ｃ方向のレンズ１２の位置の調整は、各取付部１７のワッシャ配置面１７０に同じ厚さで且つ同じ枚数の調整用ワッシャ２０をそれぞれ配置することによって調整することができる。
【００６８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００６９】
１０   レンズ鏡筒
１１   レンズ保持枠（保持枠）
１２   レンズ（光学素子）
１４   鍔部
１５   鏡筒部材
１７   取付部
１７０ ワッシャ配置面
１７１ ワッシャ位置決め部
１８   保持枠位置決め部（位置決め部）
１９   切欠き（露出部）
２０   調整用ワッシャ（調整部材）
２２   第１のワッシャ（調整部材）
２３   第２のワッシャ（調整部材）
２５   延設部（調整部材の一部）
３０   ネジ部材
Ｃ     鏡筒部材の中心軸
【図１】
2014048434.tif 000003
【図２】
2014048434.tif 000004
【図３】
2014048434.tif 000005
【図４】
2014048434.tif 000006
【図５】
2014048434.tif 000007
【図６】
2014048434.tif 000008
【図７】
2014048434.tif 000009
【図８】
2014048434.tif 000010
【図９】
2014048434.tif 000011